(57)【要約】      （修正有）【課題】極めて簡単な操作により階段状の飾り台を準備することができ、さらに、その飾り台を極めて簡単な操作により飾り物を収納する収納箱に変えることができる飾り台を提供する。【解決手段】下段ブロック１の後壁板の上縁に中段ブロック２の底板の前端縁を蝶着し、中段ブロックの後壁板の上縁に上段ブロック３の底板の後端縁を蝶着した。螺着には蝶番を使用する。【選択図】図５
0003165388.tif 000002
【実用新案登録請求の範囲】
【請求項１】
下段ブロックの後壁板の上縁に中段ブロックの底板の前端縁を蝶着し、中段ブロックの後壁板の上縁に上段ブロックの底板の後端縁を蝶着した飾り台。
【請求項２】
下段ブロックを、底板と、その両側方に立設した側板と、底板の後端部に立設した後壁板と、後壁板の裏面の両側方に該両側方から後方に延び出して中段ブロックを支持したり後壁板の裏面に重ねたりすることができるように、その前端縁を蝶着した支持板とから構成したことを特徴とする請求項１に記載の飾り台。
【請求項３】
中段ブロックを、底板と、その両側方に立設され上段ブロックを支持する支持部を備えた側板と、底板の後端部に立設した後壁板とから構成したことを特徴とする請求項２に記載の飾り台。
【請求項４】
上段ブロックを、底板と、その両側方に立設した側板と、底板の後端部に立設した後壁板とから構成したことを特徴とする請求項３に記載の飾り台。
【請求項５】
下段ブロックの側板を直角三角形状に形成し、中段ブロックの側板を後部が直角になりその上底の長さが上段ブロックの底板の前後方向の幅に一致する梯形に形成し、上段ブロックの側板を直角三角形状に形成するとともに、下段ブロックと中段ブロックと上段ブロックとが順々に積み重なる形になったとき、各ブロックの側板の傾斜上縁が直線上にあり、中段ブロックと上段ブロックの傾斜上縁の合計長さが下段ブロックの傾斜上縁の長さと合致する形に、各ブロックの側板を形成したことを特徴とする請求項４に記載の飾り台。
【考案の詳細な説明】
【技術分野】
【０００１】  本考案は、人形その他の飾り物を載せる階段状の飾り台に関する。
【背景技術】
【０００２】  金具等を用いることなく簡単な作業で組み立てや分解をおこなうことのできる階段状の飾り台は、特許文献１により知られている。このものは、前飾り部材、天板、幕板及び側板を構成部材とし、前飾り部材、天板、幕板をそれぞれ側板に嵌合させることによって階段状の飾り台を組み立てるようになっている。【０００３】  この従来技術は、簡単な作業で組み立てられるとされてはいるが、三つの部品を各別に側板に組み立てる手間と労力を必要としている。
また、このものは、飾り物の収納箱としても利用できるとされているが、それは、組み立てられたそのままの形の飾り台の内部に、雛人形や屏風などを収納するものであって、飾り台を構成する各ブロックを折り畳むだけで一個の完成した直方体状の収納箱とする、換言すれば、飾り台それ自体が収納箱になるような（飾り台のほかに収納用の器具などを必要としない）ものではない。
【先行技術文献】
【特許文献】
【０００４】
【特許文献１】  実用新案登録第３１０４１６７号公報
【考案の概要】
【考案が解決しようとする課題】
【０００５】  本考案の技術課題は、上述した従来技術の問題を解決し、極めて簡単な操作により階段状の飾り台を形成でき、またはその階段状の飾り台それ自体を、極めて簡単な操作により飾り物を収納する直方体状の収納箱に変えられるようにすることにある。
【課題を解決するための手段】
【０００６】  以下、本考案を理解しやすくするため、各部品には実施例として図示した符号を添えて説明する。
まず、本考案は、極めて簡単な操作により階段状の飾り台を形成することができるようにするため、次の手段を採用した。
下段ブロック１の後壁板Ｂ１の上縁１１に中段ブロック２の底板Ｆ２の前端縁１５を蝶着し、中段ブロック２の後壁板Ｂ２の上縁１２に上段ブロック３の底板Ｆ３の後端縁１３を蝶着するようにした。すなわち、相互に蝶着された複数のブロックを展開するという操作のみで階段状の飾り台が形成できるようにした。【０００７】  本考案は、下段ブロック１を、飾り物を載せる空間を形成するとともに中段ブロック２を支持できるようなものとするため、特に次の手段を採用した。
下段ブロック１を、底板Ｆ１と、その両側方に立設した側板Ｓ１と、底板Ｆ１の後端部に立設した後壁板Ｂ１と、後壁板Ｂ１の裏面の両側方に、該両側方から後方に延び出して中段ブロック２を支持したり後壁板Ｂ１の裏面に重ねたりすることができるように、その前端縁１４を蝶着した支持板Ｒ１とから構成した。【０００８】  本考案は、中段ブロック２を、飾り物を載せる空間を形成するとともに上段ブロック３を支持できるようなものとするため、特に次の手段を採用した。
中段ブロック２を、底板Ｆ２と、その両側方に立設され上段ブロック３を支持する支持部１６を備えた側板Ｓ２と、底板Ｆ２の後端部に立設した後壁板Ｂ２とから構成した。【０００９】  本考案は、上段ブロック３を、前方または後方のいずれかに延びる飾り物載置台にするため、特に次の手段を採用した。
上段ブロック３を、底板Ｆ３と、その両側方に立設した側板Ｓ３と、底板Ｆ３の後端部に立設した後壁板Ｂ３とから構成した。【００１０】  本考案は、形成された階段状の飾り台の各ブロックを順々に折り畳むだけで一個の整った形の直方体状の収納箱ができるようにするため、特に次の手段を採用した。
下段ブロック１の側板Ｓ１を直角三角形状に形成し、中段ブロック２の側板Ｓ２を後部が直角になりその上底の長さが上段ブロック３の底板Ｆ３の前後方向の幅に一致する梯形に形成し、上段ブロック３の側板Ｓ３を直角三角形状に形成するとともに、下段ブロック１と中段ブロック２と上段ブロック３とが展開して階段の形になったとき、各ブロックの側板Ｓ１、Ｓ２、Ｓ３の傾斜上縁が直線上にあり、中段ブロック２と上段ブロック３の傾斜上縁の合計長さが下段ブロック１の傾斜上縁の長さと合致する長さになるように、各ブロックの側板Ｓ１、Ｓ２、Ｓ３を形成した。
【考案の効果】
【００１１】  請求項１に記載の考案は、下段ブロック１の後壁板Ｂ１の上縁１１に中段ブロック２の底板Ｆ２の前端縁１５を蝶着したから、中段ブロック２の底板Ｆ２は、下段ブロック１の後壁板Ｂ１の上縁１１より連続して後方に延び出す形をとることできる。また、中段ブロック２の後壁板Ｂ２の上縁１２に上段ブロック３の底板Ｆ３の後端縁１３を蝶着したから、上段ブロック３の底板Ｆ３は、中段ブロック２の後壁板Ｂ２の上縁１２より連続して前方に又は後方に延び出す形をとることができる。すなわち、階段状の飾り棚は、このようにして、各ブロックの底板によって極めて簡単に形成される。【００１２】  請求項２に記載の考案は、下段ブロック１が、底板Ｆ１と、その両側方に立設した側板Ｓ１と、底板Ｆ１の後端部に立設した後壁板Ｂ１とで構成されているため、そこに下の段の飾り物を飾りつける空間を形成することができる。また、後壁板Ｂ１の裏面の両側方には支持板Ｒ１の前端縁１４を蝶着したから、支持板Ｒ１を図２（ａ）又は図５に示すように後方に延び出させれば、中段ブロック２を支持することができ、さらに、本考案品を収納箱にするときは、支持板Ｒ１を後壁板Ｂ１の裏面に重なるように回動させれば、図６（ａ）、（ｂ）に示すように箱と一体化して全体の収納スペースを最小にすることができる。【００１３】  請求項３に記載の考案は、中段ブロック２が、底板Ｆ２と、その両側方に立設され上段ブロック３を支持する支持部１６を備えた側板Ｓ２と、底板Ｆ２の後端部に立設した後壁板Ｂ２とで構成されているため、そこに中段の飾り物を飾りつける空間を形成することができる。そして、この側板Ｓ２の支持部１６は、上段ブロック３を図５の二重矢印Ｔ１の向きに前方に転回させたときに、上段ブロック３の底板Ｆ３を支持する。【００１４】  請求項４に記載の考案は、上段ブロック３を、底板Ｆ３と、その両側方に立設した側板Ｓ３と、底板Ｆ３の後端部に立設した後壁板Ｂ３とから構成し、後壁板Ｂ３の後端縁１３を中段ブロック２の後端縁Ｂ２の上縁１２に螺着したから、図４（ａ）に示すように底板Ｆ３の表面を飾り物載置棚にしたり、図４（ｂ）に示すように底板Ｆ３の裏面を飾り物載置棚にしたりすることができる。【００１５】  請求項５に記載の考案は、下段ブロック１の側板Ｓ１を直角三角形状に形成し、中段ブロック２の側板Ｓ２を後部が直角になりその上底の長さが上段ブロック３の底板Ｆ３の前後方向の幅に一致する梯形に形成し、上段ブロック３の側板Ｓ３を直角三角形状に形成するとともに、下段ブロック１と中段ブロック２と上段ブロック３とが展開して階段の形になったとき、各ブロックの側板Ｓ１、Ｓ２、Ｓ３の傾斜上縁が直線上にあり、中段ブロック２と上段ブロック３の傾斜上縁の合計長さが下段ブロック１の傾斜上縁の長さと合致する長さに、各ブロックの側板を形成したから、次の効果が奏される。【００１６】  すなわち、図５に示すように、下段ブロック１と中段ブロック２の側板Ｓ１、Ｓ２の傾斜上縁が直線状になって、下段ブロック１と中段ブロック２の底板Ｆ１とＦ２の表面と上段ブロック３の底板Ｆ３の裏面が後方に向かって階段状に伸びる飾り棚を形成できる。あるいは、図４に示すように、中段ブロック２と上段ブロック３の側板Ｓ２とＳ３の傾斜上縁が直線状になって、下段ブロック１と中段ブロック２の底板Ｆ１とＦ２の表面と上段ブロック３の底板Ｆ３の表面が後方に向かって階段状に伸びる飾り棚を形成できる。【００１７】  さらにまた、階段状の飾り台の上段ブロック３を、図５の二重矢印Ｔ１の向きに前方に転回させ、それを中段ブロック２の上に重ね、中段ブロック２とともに二重矢印Ｔ２の向きに前方に転回させると、図６（ａ）、（ｂ）に示すように、一個の整った形の直方体の収納箱ができあがる。この収納箱の内面には何も妨げるものがないから直方体の全空間が収納用に利用できる。しかも、前述したように、支持板Ｒ１を下段ブロック１の裏面に重ねれば、支持板Ｒ１も邪魔になることがないから、全体の収納スペースを最小なものとすることができる。
【図面の簡単な説明】
【００１８】
【図１】本考案の下段ブロック１の実施例の斜視図で、（ａ）は下段ブロックの飾り物載置部を示し、（ｂ）、（ｃ）は下段ブロック１の裏面に蝶着する前の、中段ブロック２を支持する支持板Ｒ１を示す。
【図２】（ａ）は支持板Ｒ１を蝶着した下段ブロック１の実施例を前方から見た斜視図で、（ｂ）は同実施例を後方から見た斜視図である。
【図３】（ａ）は中段ブロック２の実施例の斜視図で、（ｂ）は上段ブロック３の実施例の斜視図である。
【図４】中段ブロック２に上段ブロック３を蝶着した実施例の斜視図で、（ａ）は上段ブロック３の床面（Ｆ３）の表面が飾り物の載置棚になっているところで、（ｂ）は床面（Ｆ３）の裏面が飾り物の載置棚になっているところを示す。
【図５】下段ブロック１と中段ブロック２と上段ブロック３とが順々に展開して、各棚が後方に延びる階段状の飾り台が出来上がったところを示す斜視図である。
【図６】出来上がった階段状の飾り台を、図５の（Ｔ１）、（Ｔ２）の順に前方に転回させ、一個の整った形の直方体状の収納箱としたときの斜視図で、（ａ）は、前方から見たところで、（ｂ）は、後方から見たところを示す。
【実施例】
【００１９】  下段ブロック１の後壁板Ｂ１の上縁１１に中段ブロック２の底板Ｆ２の前端縁を蝶着し、中段ブロック２の後壁板Ｂ２の上縁１２に上段ブロック３の底板Ｆ３の後端縁１３を蝶着し、後壁板Ｂ１の裏面の両側方に支持板Ｒ１の前端縁を蝶着するが、その手段としては、一般的には、蝶番が用いられる。しかし、蝶番に限られるものではなく、回動する形で連結できるものであれば公知の手段を利用することができる。【００２０】  実施例として図示した飾り台は、３段の飾り棚をもつものであるが、下段ブロックを二つ重ねるようにすれば、各部の寸法や形について単なる設計変更を加えただけで、４段の飾り棚をもつものにすることもできる。このようにして、多段の飾り棚を形成することも、本考案の技術的思想の範疇に含まれるのは言うまでもない。また、図示は省略したが、側板の相対する面上に底板に平行する挿入溝を穿ち、そこに別途準備した底板を差し込めば、飾り棚をもう一段増やすのも簡単にできることは勿論である。
【符号の説明】
【００２１】  １    下段ブロック
２    中段ブロック
３    上段ブロック
Ｂ    後壁板
Ｆ    底板
Ｓ    側板
１１  後壁板Ｂ１の上縁
１２  後壁板Ｂ２の上縁
１３  底板Ｆ３の後端縁
１４  支持板Ｒ１の前端縁
１５  中段ブロック２の前端縁
１６  上段ブロック３を支持する支持部
【図１】
0003165388.tif 000003
【図２】
0003165388.tif 000004
【図３】
0003165388.tif 000005
【図４】
0003165388.tif 000006
【図５】
0003165388.tif 000007
【図６】
0003165388.tif 000008